(57)【要約】 【課題】臨場感に溢れる宣伝効果の大きい購買時点広告用パネルを提供する。【解決手段】  プラスチックシートを商品形状に合わせて凸状に成形し、凸部５に商品に似せて色や柄を付与すると共に、この成形体１を複数ボード２に着脱自在に保持して構成した。【選択図】図１
0003126473.tif 000002
【実用新案登録請求の範囲】
【請求項１】
プラスチックシートを商品形状に合わせて凸状に成形し、凸部に前記商品に似せて色や柄
を付与すると共に、この成形体を複数個、ボードに着脱自在に保持して構成したことを特徴とする購買時点広告用パネル。
【請求項２】
前記商品に似せた色や柄を印刷したシートを、前記成形体の凸部形状に合わせて貼着した
ことを特徴とする請求項１に記載の購買時点広告用パネル。
【請求項３】
前記成形体の扁平縁部をコの字に曲成して係着部を形成すると共に、当該係着部を前記ボ
ードの辺縁に摺動自在に係着して構成したことを特徴とする請求項１または請求項２の何
れかに記載の購買時点広告用パネル。
【請求項４】
前記ボードに前記商品のキャッチフレーズを表示して成ることを特徴とする請求項１から
請求項３までの何れかに記載の購買時点広告用パネル。
【請求項５】
前記商品が便座シートであることを特徴とする請求項１から請求項４までの何れかに記載
の購買時点広告用パネル。
【考案の詳細な説明】
【技術分野】
【０００１】
本考案は、店頭や店内の商品陳列棚に近接して設置される購入時点広告（ＰＯＰ広告：
ｐｏｉｎｔ  ｏｆ  ｐｕｒｃｈａｓｅ  ａｄｖｅｒｔｉｓｉｎｇ）に関するものである。
【背景技術】
【０００２】
従来より、例えば、大型家電分野やファッション分野等において高付加価値商品の販売
を行う小売業にあっては、販売員が直接顧客と対応して顧客のニーズを探りながら顧客の
要望に合った適切なアドバイスを行い顧客の購買意欲をかき立てることで販売の促進が図
られている。
【０００３】
他方、一般的な日用雑貨コーナー等においては、上述のように、販売員がその都度対応
することはなく、顧客自身が商品を選択して購入することが多い。この場合、顧客は、箱
詰めやセロファン等でパッケージされた商品を手に取って眺めたり、販売員の代わりとな
るＰＯＰ広告等を参考にして気に入った商品を選ぶことになるが、このＰＯＰ広告につい
ても商品の外観写真や使い方、価格等を表示した単純なものが多いため、商品の種類によ
っては、実際の商品の使用状態を想定し難いことからなかなか購買意欲も湧いて来ないも
のである。
【考案の開示】
【考案が解決しようとする課題】
【０００４】
本考案は、上記した問題点に鑑み成されたもので、臨場感に溢れた宣伝効果の大きい購
買時点広告用パネルを提供することを目的としている。
【課題を解決するための手段】
【０００５】
すなわち、請求項１に記載の考案は、プラスチックシートを商品形状に合わせて凸状に
成形し、凸部に前記商品に似せて色や柄を付与すると共に、この成形体を複数個、ボードに着脱自在に保持して構成したことを特徴としている。
【０００６】
また、請求項２に記載の考案は、請求項１に記載の購買時点広告用パネルにおいて、前
記商品に似せた色や柄を印刷したシートを、前記成形体の凸部形状に合わせて貼着したこ
とを特徴としている。
【０００７】
また、請求項３に記載の考案は、請求項１または請求項２の何れかに記載の購買時点広
告用パネルにおいて、前記成形体の扁平縁部をコの字に曲成して係着部を形成すると共に
、当該係着部を前記ボードの辺縁に摺動自在に係着して構成したことを特徴としている。
【０００８】
また、請求項４に記載の考案は、請求項１から請求項３までの何れかに記載の購買時点
広告用パネルにおいて、前記ボードに前記商品のキャッチフレーズを表示して成ることを
特徴としている。
【０００９】
また、請求項５に記載の考案は、請求項１から請求項４までの何れかに記載の購買時点
広告用パネルにおいて、前記商品が便座シートであることを特徴としている。
【考案の効果】
【００１０】
請求項１、２に記載の考案によれば、商品形状に合わせて凸状に形成した成形体に商品
と同じ色や柄を付与した模擬商品を展示するので、臨場感溢れるものとなり、顧客は１枚
のボートに取り付けたそれぞれ色柄の違った複数の模擬商品を見比べながら気に入ったデ
ザインを選ぶことができるため、購買意欲もかき立てられ、宣伝効果は極めて大である。
特に、請求項５に記載のように、便座シートのように他の物（便器）に取り付けて使用
するような商品の場合では、実際の使用状態を見ながら気に入った色柄を選ぶことができ
るため、極めて好ましい。
【００１１】
また、請求項３に記載の考案によれば、成形体は摺動自在、且つ、容易に着脱自在であ
るから、顧客のニーズに合わせた模擬商品を自由に取り替えて展示することができ、顧客
に品目毎の様々なデザインをタイムリーに紹介することができる。
【００１２】
また、請求項４に記載の考案によれば、成形体を取り付けたボードに商品のＰＲポイン
トやキャッチコピー等を表示しておくことにより、臨場感溢れる疑似商品と合わせて、顧
客に最も近い場所においてその商品の魅力を十分アピールすることができる。
【考案を実施するための最良の形態】
【００１３】
以下、図１〜図３に基づいて本考案の購買時点広告用パネル１０の一実施形態を説明す
る。
【００１４】
図１〜図３に示すように、本実施形態の購買時点広告用パネル１０（ＰＯＰパネル）は
、薄肉の透明プラスチックシートを真空成形やプレス成形等により便座の形状に合わせて
、例えば、ブリスターパックのように凸状に成形した成形体１と、この成形体１を複数着
脱自在に保持するボード２とで構成されている。成形体１の外形形状は四角形であって、
扁平部分である上辺部と下辺部が裏側にコの字形に曲成されて、成形体１をボード２に係
着するための係着部４が形成されている。
【００１５】
成形体１（便座）の凸部５の上面には、実際の商品と同じような色や柄が印刷されたシ
ート３（本実施形態では模擬の便座シート３）が貼着され、臨場感溢れる模擬商品を構成
している。尚、この模擬商品は、実物大より縮小されたサイズである。
【００１６】
他方、ボード２は横長板状の発泡部材（例えば、展示会などで使用される発泡ポリスチ
レンボード）で構成されており、上部に商品のＰＲポイントやキャッチコピー等（図示せ
ず）が印刷され、これらのうたい文句を透明プラスチックシートを通して顧客にアピール
できるようになっている。
【００１７】
ボード２の奥行き寸法と成形体１の奥行き寸法はほぼ同じ寸法であって、図１に示すよ
うに、成形体１をボード２の側方より挿入してそのコの字形の係着部４４をボード２の上
辺２ａと下辺２ｂに係着させれば、成形体１をボード２に摺動自在に保持させることがで
きる。
本実施形態では、この横長のボード２に合計５個の成形体１を横一列に保持することが
可能であり、色や柄を違えた様々なデザインの便座シート３を１ボード上に入れ替え自在
に展示することがきる。
【００１８】
例えば、図２では、ボード２の左端から色柄を変えた３種類の柄物の便座シート３が配
置され、それに続いてそれぞれ色相の異なる無地の便座シート３が２種類配置された例を
示し、図３では、ボード２にそれぞれ色柄の異なる３種類の便座シート３が適切な間隔で
バランス良く配置された例を示している。
【００１９】
この購買時点広告用ボード１０は、店内において商品近傍の壁面や天井等に吊着したり
、陳列台の商品の脇に立て掛けたりして使用される。
【００２０】
このように、本実施形態の購買時点広告用パネル１０は、実際の商品形状に合わせて立
体的に形成した成形体１に商品と同じような色や柄を付与した模擬商品をボー２ド上に複
数展示できるので、特に、便座シートのように、実際の使用状態を見て好みのデザインを
選定したい品目では、係るＰＯＰパネル１０は極めて臨場感に溢れ、且つ、購買意欲をか
き立たせるものであり、宣伝効果は極めて大である。顧客は、ＰＯＰパネル１０に展示さ
れた複数のデザインを見比べながら気に入ったものを選ぶことができる。
【００２１】
また、成形体１は摺動自在、且つ、容易に着脱自在であるから、顧客のニーズに合わせ
た模擬商品（成形体１）を自由に取り替えて展示することができ、顧客に品目毎の様々な
デザインをタイムリーに紹介することができる。
【００２２】
さらには、成形体１を保持したボード２に商品のＰＲポイントやキャッチコピー等を表
示しておくことにより、臨場感溢れる模擬商品と合わせて顧客に最も近い場所において直
接その商品の魅力を十分アピールすることができる。
【００２３】
以上、本実施形態では、展示する商品として便座シート３を例示したが、これに限定さ
れるものではなく、その他、弁当箱等様々な日用雑貨に適用可能であることは勿論である
。また、成形体１に色や柄を付与するため、印刷シールを貼着するようにしたが、成形体
１の凸部５に直接色柄を印刷することも可能である。
【図面の簡単な説明】
【００２４】
【図１】本考案による購買時点広告パネルの組み立てを示す図。
【図２】本考案による購買時点広告パネルを示す図。
【図３】本考案による図２とは別の購買時点広告パネルを示す図。
【符号の説明】
【００２５】
１  成形体
２  ボード
４  係着部
５  凸部
１０  購買時点広告用パネル（ＰＯＰパネル）
【図１】
0003126473.tif 000003
【図２】
0003126473.tif 000004
【図３】
0003126473.tif 000005